(57)【要約】【課題】シーバース構造物の基礎スラブにおいて、海上における仮設構造物を減らし、海上での施工期間を短縮することができるようにする。【解決手段】シーバース構造物の基礎スラブ構造において、複数本の基礎杭６の杭頭部周りを囲む空所２を有し、前記杭頭部周りが前記空所２内に位置した状態に配置されたハーフプレキャストコンクリートスラブ１と、前記空所２内の前記杭頭部周りに打設された場所打ちコンクリート１１とを備える。また、前記杭頭部に接合して前記空所２に掛け渡された梁材３を備える。これにより、基礎スラブを構築するための海上での仮設構造物の組み立て数量を大幅に軽減することができ、海上での施工期間を短縮することができる。【選択図】図１
2005264514.tif 000002
【特許請求の範囲】
【請求項１】
複数本の基礎杭の杭頭部周りを囲む空所を有し、前記杭頭部周りが前記空所内に位置した状態に配置されたハーフプレキャストコンクリートスラブと、
前記空所内の前記杭頭部周りに打設された場所打ちコンクリートとを備えることを特徴とするシーバース構造物の基礎スラブ構造。
【請求項２】
前記杭頭部に接合して前記空所に掛け渡された梁材を備えることを特徴とする請求項１に記載のシーバース構造物の基礎スラブ構造。
【請求項３】
複数本の基礎杭の杭頭部周りを囲む空所を有するハーフプレキャストコンクリートスラブを、前記空所内に前記杭頭部周りが位置した状態に配置する工程と、
前記空所内の前記杭頭部周りに場所打ちコンクリートを打設する工程とを含むことを特徴とするシーバース構造物の基礎スラブ施工方法。
【請求項４】
前記場所打ちコンクリートを打設する工程に先立ち、前記空所に掛け渡した梁材を前記杭頭部に接合する工程を含むことを特徴とする請求項３に記載のシーバース構造物の基礎スラブ施工方法。
【請求項５】
複数本の基礎杭の杭頭部に接合された複数本のハーフプレキャストコンクリート梁と、
前記杭頭部周り及び前記ハーフプレキャストコンクリート梁を囲む形状で、前記ハーフプレキャストコンクリート梁の一側部上に沿って載置された複数枚のプレキャストコンクリートスラブと、
前記杭頭部周り及び前記ハーフプレキャストコンクリート梁上で前記プレキャストコンクリートスラブにより囲まれた部分に打設された場所打ちコンクリートとからなることを特徴とするシーバース構造物の基礎スラブ構造。
【請求項６】
複数本の基礎杭の杭頭部に複数本のハーフプレキャストコンクリート梁を接合する工程と、
前記杭頭部周り及び前記ハーフプレキャストコンクリート梁を囲む形状をなす複数枚のプレキャストコンクリートスラブを、前記ハーフプレキャストコンクリート梁の一側部上に沿って載置する工程と、
前記杭頭部周り及び前記ハーフプレキャストコンクリート梁上で前記プレキャストコンクリートスラブにより囲まれた部分に場所打ちコンクリートを打設する工程とからなることを特徴とするシーバース構造物の基礎スラブ施工方法。
【発明の詳細な説明】
【技術分野】
【０００１】
本発明は、シーバース構造物における基礎スラブ構造およびその施工方法に関する。
【背景技術】
【０００２】
従来、シーバース構造物のうち、ワーキングプラットホームおよびドルフィン系構造物（ブレスティングドルフィン、ムアリングドルフィン、配管橋基礎など）は、海底地盤に基礎杭を打設した後、スラブ梁あるいは基礎スラブを現場打ちコンクリート工法により、海上あるいは海中施工して基礎杭と一体化するのが通例である。また、杭頭部施工方法として、小規模ながら、ハーフプレキャスト版そのものを作業足場に利用し、斜杭の杭頭部を無足場、無支保工で施工できる斜組杭の杭頭部施工方法が提案されている。（例えば、特許文献１参照）。
【特許文献１】特開２０００−１７６４２号公報
【発明の開示】
【発明が解決しようとする課題】
【０００３】
しかしながら、前記の現場打ちコンクリート工法では、大規模な支保工材及び型枠材が必要である。この方法では、海上での施工期間が長く、天候による工事への影響が大きい。また、前記の杭頭部をハーフプレキャスト化した方法でも、杭頭とハーフプレキャスト版とを接合するためのつなぎ部材が必要であり、大きな鉛直荷重および水平荷重が作用する前記シーバース構造物そのものの構築には不向きであり、この杭頭部に支持させて別途基礎スラブ等の上部構造物を構築する必要がある。
【０００４】
本発明の課題は、シーバース構造物の基礎スラブにおいて、海上における仮設構造物を減らし、海上での施工期間を短縮することができるようにすることである。
【課題を解決するための手段】
【０００５】
以上の課題を解決するため、請求項１に記載の発明は、例えば図１に示すように、シーバース構造物の基礎スラブ構造において、複数本の基礎杭６の杭頭部周りを囲む空所２を有し、前記杭頭部周りが前記空所２内に位置した状態に配置されたハーフプレキャストコンクリートスラブ１と、前記空所２内の前記杭頭部周りに打設された場所打ちコンクリート１１とを備えることを特徴とする。
【０００６】
請求項３に記載の発明は、例えば図２〜５に示すように、シーバース構造物の基礎スラブ施工方法において、複数本の基礎杭６の杭頭部周りを囲む空所２を有するハーフプレキャストコンクリートスラブ１を、前記空所２内に前記杭頭部周りが位置した状態に配置する工程と、前記空所２内の前記杭頭部周りに場所打ちコンクリート１１を打設する工程とを含むことを特徴とする。
【０００７】
このように、シーバース構造物の基礎スラブの大部分、即ち複数本の基礎杭６の杭頭部周りを囲む空所２以外の部分をプレキャスト化し、このハーフプレキャストコンクリートスラブ１を支保工材、型枠材として利用し、杭頭部周りを囲む空所２のみを場所打ちコンクリート工法により施工することによって、基礎スラブを構築するための海上での仮設構造物の組み立て数量を大幅に軽減することができ、海上での施工期間を短縮することができる。
【０００８】
請求項２に記載の発明は、請求項１に記載のシーバース構造物の基礎スラブ構造において、例えば図１に示すように、前記杭頭部に接合して前記空所２に掛け渡された梁材３を備えることを特徴とする。
【０００９】
請求項４に記載の発明は、請求項３に記載のシーバース構造物の基礎スラブ施工方法において、例えば図２〜５に示すように、前記場所打ちコンクリート１１を打設する工程に先立ち、前記空所２に掛け渡した梁材３を前記杭頭部に接合する工程を含むことを特徴とする。
【００１０】
このように、複数本の基礎杭６の杭頭部周りを囲む空所２に梁材３を掛け渡すことによって、前記梁材３を基礎杭６の杭頭部上端に容易に接合することができ、ハーフプレキャストコンクリートスラブ１を基礎杭６で支持することができ、海上での施工期間を短縮することができる。
【００１１】
請求項５に記載の発明は、例えば図６に示すように、シーバース構造物の基礎スラブ構造において、複数本の基礎杭１５の杭頭部に接合された複数本のハーフプレキャストコンクリート梁１２と、前記杭頭部周り及び前記ハーフプレキャストコンクリート梁１２を囲む形状で、前記ハーフプレキャストコンクリート梁１２の一側部上に沿って載置された複数枚のプレキャストコンクリートスラブ１３と、前記杭頭部周り及び前記ハーフプレキャストコンクリート梁１２上で前記プレキャストコンクリートスラブ１３により囲まれた部分に打設された場所打ちコンクリート１４とからなることを特徴とする。
【００１２】
請求項６に記載の発明は、例えば図６に示すように、シーバース構造物の基礎スラブ施工方法において、複数本の基礎杭１５の杭頭部に複数本のハーフプレキャストコンクリート梁１２を接合する工程と、前記杭頭部周り及び前記ハーフプレキャストコンクリート梁１２を囲む形状をなす複数枚のプレキャストコンクリートスラブ１３を、前記ハーフプレキャストコンクリート梁１２の一側部上に沿って載置する工程と、前記杭頭部周り及び前記ハーフプレキャストコンクリート梁１２上で前記プレキャストコンクリートスラブ１３により囲まれた部分に場所打ちコンクリート１４を打設する工程とからなることを特徴とする。
【００１３】
このように、シーバース構造物の基礎スラブを梁スラブ構造とし、梁及びスラブの大部分、即ち複数本の基礎杭１５の杭頭部周り及びハーフプレキャストコンクリート梁１２上でプレキャストコンクリートスラブ１３により囲まれた部分以外の部分をプレキャスト化し、このハーフプレキャストコンクリート梁１１及びプレキャストコンクリートスラブ１３を支保工材、型枠材として利用し、その杭頭部周り及びハーフプレキャストコンクリート梁１２上でプレキャストコンクリートスラブ１３により囲まれた部分のみを場所打ちコンクリート工法により施工することによって、基礎スラブを構築するための海上での仮設構造物の組み立て数量を大幅に軽減することができ、海上での施工期間を短縮することができる。
【発明の効果】
【００１４】
請求項１又は３に記載の発明によれば、シーバース構造物の基礎スラブの大部分、即ち複数本の基礎杭の杭頭部周りを囲む空所以外の部分をプレキャスト化し、このハーフプレキャストコンクリートスラブを支保工材、型枠材として利用し、杭頭部周りを囲む空所のみを場所打ちコンクリート工法により施工することによって、基礎スラブを構築するための海上での仮設構造物の組み立て数量を大幅に軽減することができ、海上での施工期間を短縮することができる。
【００１５】
請求項２又は４に記載の発明によれば、請求項１又は３に記載の発明と同様の効果が得られるとともに、複数本の基礎杭の杭頭部周りを囲む空所に梁材を掛け渡すことによって、前記梁材を基礎杭の杭頭部上端に容易に接合することができ、ハーフプレキャストコンクリートスラブを基礎杭で支持することができ、海上での施工期間を短縮することができる。
【００１６】
請求項５又は６に記載の発明によれば、シーバース構造物の基礎スラブを梁スラブ構造とし、梁及びスラブの大部分、即ち複数本の基礎杭の杭頭部周り及びハーフプレキャストコンクリート梁上でプレキャストコンクリートスラブにより囲まれた部分以外の部分をプレキャスト化し、このハーフプレキャストコンクリート梁及びプレキャストコンクリートスラブを支保工材、型枠材として利用し、その杭頭部周り及びハーフプレキャストコンクリート梁上でプレキャストコンクリートスラブにより囲まれた部分のみを場所打ちコンクリート工法により施工することによって、基礎スラブを構築するための海上での仮設構造物の組み立て数量を大幅に軽減することができ、海上での施工期間を短縮することができる。
【発明を実施するための最良の形態】
【００１７】
以下、図を参照して本発明を実施するための最良の形態を詳細に説明する。
〔第１の実施の形態〕
図１（ａ）、（ｂ）は、本発明の第１の実施の形態であるシーバース構造物の基礎スラブ構造を示す平面図、断面図である。この基礎スラブは、シーバース構造物のうちドルフィン系構造物である配管橋基礎に用いるものであり、基礎杭の杭頭部周りを囲む空所２を有するハーフプレキャストコンクリートスラブ１と、前記空所２に掛け渡された梁材３と、前記空所２内の杭頭部周りに打設される場所打ちコンクリート１１（図５参照）とからなる。
【００１８】
ここで、ハーフプレキャストコンクリートスラブ１は、長さ１０．５ｍ、幅７ｍ、高さ１．８ｍの鉄筋コンクリート製で、外形が直方体のものである。杭頭部周りを囲む空所２は、８本の基礎杭６の杭頭部周りを囲むように、平面的には縦９．３ｍ、横３．１ｍと縦３．２ｍ、横６．８ｍの２つ長方形を中心で重ねた十字形に、断面的にはハーフプレキャストコンクリートスラブ１の高さと同じ１．８ｍに形成されている。この空所２内には場所打ちコンクリート１１が最終的に充填される。また、ハーフプレキャストコンクリートスラブ１の空所２側の側面には、場所打ちコンクリート１１との定着のために複数本の鉄筋５が突出している。
【００１９】
梁材３は、Ｈ型鋼であり、基礎杭６の杭頭部に接合する位置で、ハーフプレキャストコンクリートスラブ１の空所２側の側面に掛け渡されている。梁材３の端部は、ハーフプレキャストコンクリートスラブ１の前記側面と接合されるか、他の梁材３の側部に接合されている。
【００２０】
ハーフプレキャストコンクリートスラブ１と梁材３の接合は、継手部材４によって行われている。この継手部材４は、ハーフプレキャストコンクリートスラブ１に埋め込まれたアンカー筋に固定された接合プレートと両者を接合するためのボルトによって構成されている。梁材３と他の梁材３の接合は溶接、ボルト等によって行われている。
【００２１】
次に、図２〜６を参照して、この実施形態におけるシーバース構造物の基礎スラブの施工方法について説明する。この実施形態におけるハーフプレキャストコンクリート１は、基礎杭６の杭頭部周りを囲む空所２を３箇所有している。なお、ハーフプレキャストコンクリートスラブ１から突出する鉄筋５は、図面では便宜上省略している。
【００２２】
まず、図２に示すように、８本の基礎杭６を２本で１組の組杭をなすように海底地盤の所定の場所に打ち込み、基礎杭６の杭頭を各組杭の杭頭が所定の配置になるように海面上に突出させる。基礎杭６の杭頭部周りに作業足場を設置し、各基礎杭６の杭頭レベルが各々所定の高さになるように、各基礎杭６の杭頭部の処理を行う。
【００２３】
次に、図３に示すように、ハーフプレキャストコンクリートスラブ１を海上クレーンのワイヤ７で吊り、作業員８の案内により、杭頭部周りを囲む空所２に掛け渡された複数本の梁材３を対応する基礎杭６の杭頭部の上端に接合させることにより、基礎杭６上に固定させ支持させる。
【００２４】
これにより、前記梁材３を基礎杭６の杭頭部上端に容易に接合することができ、ハーフプレキャストコンクリートスラブ１を基礎杭６で支持することができ、海上での施工期間を短縮することができる。
【００２５】
また、梁材３を基礎杭６の杭頭部に接合するため、８本の基礎杭６がハーフプレキャストコンクリートスラブ１を介して連結されることになり、その接合後においては、ハーフプレキャストコンクリートスラブ１と基礎杭６を一体として安定した構造とすることができる。
【００２６】
ここで、ハーフプレキャストコンクリートスラブ１は、予め海上現場の近くの陸上において製作される。ハーフプレキャストコンクリートスラブ１の製作は、プレキャスト部分の鉄筋を配筋し、杭頭部周りを囲む空所２に掛け渡される梁材３を所定位置に設置し、型枠を組んで、プレキャスト部分のコンクリートを打設し、適切に養生したのち脱型することにより行われる。
【００２７】
製作されたハーフプレキャストコンクリートスラブ１は、陸上からクレーン等で吊られ、台船に積み込まれ、海上現場まで運ばれて、上記したように基礎杭６の杭頭部上に架設される。
【００２８】
これにより、杭打ちなどの他の工種との並行作業が可能となり、全体の工期を短縮することができる。また、天候の影響が大きい海上での作業期間を短縮することにより、工程の変動要因を少なくすることができる。
【００２９】
そして、図４に示すように、作業員８がハーフプレキャストコンクリートスラブ上に乗り込み、クレーンで足場材、型枠材、鉄筋等をハーフプレキャストコンクリートスラブ１上に吊り込み、足場を組み、杭頭部周りの底型枠１０、鉄筋９を組み立てる。その後、図５に示すように、コンクリートミキサー船で基礎杭６の杭頭部周りを囲む空所２に場所打ちコンクリート１１を打設する。
【００３０】
これにより、基礎スラブを構築するための海上での仮設構造物の組み立て数量を大幅に軽減することができ、海上での施工期間を短縮することができる。さらに、仮設構造物の組み立て数量が少なくなること、および仮設構造物の残置期間が短くなることから、強風波浪などの荒天による仮設構造物の流出、飛散のリスクを軽減することができる。そして、基礎スラブのハーフプレキャスト化により、海上でのコンクリート打設数量が減ることから、ブリージング水の発生量が減り、海水汚染のリスクを軽減することができる。また、海上での鉄筋組み立て数量が減り、鉄筋暴露期間が短くなることから、鉄筋腐食の度合いを軽減することができる。
【００３１】
なお、プレキャストコンクリートスラブ１の形状、大きさは、その用途等により適宜に変更可能であり、杭頭部周りを囲む空所２の位置、形状、大きさ、箇所数も、基礎杭６の本数、位置、打設角度等により適宜に変更可能であることは勿論である。また、梁材３の端部は、前記継手部材４による接合ではなく、ハーフプレキャストコンクリートスラブ１内に直接埋め込んでも良い。その他、具体的な細部構造等についても適宜に変更可能であることは勿論である。
【００３２】
〔第２の実施の形態〕
図６は、本発明の第２の実施の形態であるシーバース構造物の基礎スラブ構造を示す平面図である。この基礎スラブは、シーバース構造物のうち、ワーキングプラットホームに用いるものであり、４８本の基礎杭１５の杭頭部に接合されたハーフプレキャストコンクリート梁１２と、杭頭部周り及びハーフプレキャストコンクリート梁１２を囲む形状で、ハーフプレキャストコンクリート梁１２の一側部上に沿って載置された４３枚のプレキャストコンクリートスラブ１３と、杭頭部周り及びハーフプレキャストコンクリート梁１２上でプレキャストコンクリートスラブ１３により囲まれた部分に打設された場所打ちコンクリート１４とからなる。
【００３３】
ここで、この基礎スラブは、梁スラブ構造であり、長さ４０ｍ、幅３０ｍの平面的に長方形状のものである。基礎スラブの短辺方向、長辺方向の梁は、それぞれ数本のハーフプレキャストコンクリート梁１２を連結することにより構成されている。
【００３４】
ハーフプレキャストコンクリート梁１２は、図７、８に示すように、プレキャストコンクリート部１６と鉄骨梁１７とからなる。
【００３５】
プレキャストコンクリート部１６は、図８に示すように、幅１２００ｍｍ、高さ１６００ｍｍの断面の鉄筋コンクリート製で、プレキャストコンクリート部１６の上部の両側部には、プレキャストコンクリートスラブ１３を載置するためのコンクリートコーベル１９が設けられている。また、ハーフプレキャストコンクリート梁１２の上部及び他のプレキャストコンクリート梁１２との接合側の端部側面に、場所打ちコンクリート１４との定着のために複数本の鉄筋１８が突出している。
【００３６】
鉄骨梁１７は、Ｈ型鋼であり、プレキャストコンクリート部１６に埋め込まれて、基礎杭１５の杭頭部に接合する部分をプレキャストコンクリート部１６から露出している。
【００３７】
複数本のハーフプレキャストコンクリート梁１２どうしの連結は、上記露出している鉄骨梁１７どうしを溶接、ボルト等により接合することによって行われる。
【００３８】
プレキャストコンクリートスラブ１３は、図９に示すように、長方形の板状の鉄筋コンクリート製であり、スラブ厚は４００ｍｍである。プレキャストコンクリートスラブ１３の側面には、場所打ちコンクリート１４との定着のために複数本の鉄筋２０が突出している。
【００３９】
次に、図６〜１０を参照して、この実施形態におけるシーバース構造物の基礎スラブの施工方法について説明する。
【００４０】
まず、図６に示すように、４８本の基礎杭１５を２本で１組の組杭をなすように海底地盤の所定の場所に打ち込み、基礎杭１５の杭頭を各組杭の杭頭が所定の格子状の配置になるように海面上に突出させる。基礎杭１５の杭頭部周りに作業足場を設置し、各基礎杭１５の杭頭レベルが各々所定の高さになるように、各基礎杭１５の杭頭部の処理を行う。
【００４１】
次に、ハーフプレキャストコンクリート梁１２を海上クレーンのワイヤで吊り、ハーフプレキャストコンクリート梁１２に埋め込まれ露出している鉄骨梁１７を対応する基礎杭１５の杭頭部の上端に接合させることにより、基礎杭１５上に固定させ支持させる。
【００４２】
これにより、鉄骨梁１７を基礎杭１５の杭頭部上端に容易に接合することができ、ハーフプレキャストコンクリート梁１２を基礎杭１５で支持することができ、海上での施工期間を短縮することができる。
【００４３】
そして、ハーフプレキャストコンクリート梁１２に埋め込まれ露出している鉄骨梁１７の端部どうしを接合させて、ハーフプレキャストコンクリート梁１２どうしを連結し基礎スラブの梁とする。
【００４４】
その後、複数のハーフプレキャストコンクリート梁１２の一側部上に沿ってプレキャストコンクリートスラブ１３を載置する。これらの作業を順次繰り返すことによって、広い面積を有する基礎スラブを構築することができる。
【００４５】
上記作業の過程において、鉄骨梁１７を基礎杭１５の杭頭部に接合するため、複数本の基礎杭１５が複数本のハーフプレキャストコンクリート梁１２を介して連結されることになり、その接合後においては、ハーフプレキャストコンクリート梁１２と基礎杭１５を一体として安定した構造とすることができる。
【００４６】
ここで、ハーフプレキャストコンクリート梁１２及びプレキャストコンクリートスラブ１３は、予め海上現場の近くの陸上において製作される。ハーフプレキャストコンクリート梁１２の製作は、プレキャストコンクリート部１６の鉄筋１８を配筋し、鉄骨梁１７を所定位置に設置し、型枠を組んで、適切に養生したのち脱型することにより行われる。プレキャストコンクリートスラブ１３の製作は、鉄筋２０を配筋し、型枠を組んで、適切に養生したのち脱型することにより行われる。
【００４７】
製作されたハーフプレキャストコンクリート梁１２及びプレキャストコンクリートスラブ１３は、陸上からクレーン等で吊られ、台船に積み込まれ、海上現場まで運ばれて、上記したように基礎杭１５の杭頭部上に架設される。
【００４８】
これにより、杭打ちなどの他の工種との並行作業が可能となり、全体の工期を短縮することができる。また、天候の影響が大きい海上での作業期間を短縮することにより、工程の変動要因を少なくすることができる。
【００４９】
そして、作業員８がハーフプレキャストコンクリート梁１２又はプレキャストコンクリートスラブ１３上に乗り込み、クレーンで足場材、型枠材、鉄筋等をプレキャストコンクリートスラブ上に吊り込み、足場を組み、杭頭部周りの型枠、鉄筋を組み立てる。その後、図１０に示すように、コンクリートミキサー船でハーフプレキャストコンクリート梁１２の上部と杭頭部周りに場所打ちコンクリート１１を打設する。
【００５０】
これにより、基礎スラブを構築するための海上での仮設構造物の組み立て数量を大幅に軽減することができ、海上での施工期間を短縮することができる。さらに、仮設構造物の組み立て数量が少なくなること、および仮設構造物の残置期間が短くなることから、強風波浪などの荒天による仮設構造物の流出、飛散のリスクを軽減することができる。そして、基礎スラブのハーフプレキャスト化により、海上でのコンクリート打設数量が減ることから、ブリージング水の発生量が減り、海水汚染のリスクを軽減することができる。また、海上での鉄筋組み立て数量が減り、鉄筋暴露期間が短くなることから、鉄筋腐食の度合いを軽減することができる。
【００５１】
なお、以上の実施の形態において、図７では、ハーフプレキャストコンクリート梁１２を５個のプレキャストコンクリート部１６とこれに埋め込まれ露出している鉄骨梁１７で構成しているが、これに限定されるものではなく、任意の個数のプレキャストコンクリート部１６と鉄骨梁１７とで構成することができる。また、プレキャストコンクリート部１６の形状、大きさは、基礎スラブの用途、基礎杭１５の本数、位置、間隔、打設角度等により適宜に変更可能であり、その他、具体的な細部構造等についても適宜に変更可能であることは勿論である。
【図面の簡単な説明】
【００５２】
【図１】第１の実施の形態におけるシーバース構造物の基礎スラブ構造を示す図であり、（ａ）は平面図、（ｂ）は断面図である。
【図２】第１の実施の形態において、基礎杭を打設し、杭頭部を処理している段階を示す図であり、（ａ）は平面図、（ｂ）は断面図である。
【図３】第１の実施の形態において、プレキャストコンクリートスラブを杭頭部に接合した段階を示す図であり、（ａ）は平面図、（ｂ）は断面図である。
【図４】第１の実施の形態において、型枠、鉄筋を組み立てている段階を示す図であり、（ａ）は平面図、（ｂ）は断面図である。
【図５】第１の実施の形態において、場所打ちコンクリートを打設している段階を示す図であり、（ａ）は平面図、（ｂ）は断面図である。
【図６】第２の実施の形態におけるシーバース構造物の基礎スラブ構造を示す平面図である。
【図７】第２の実施の形態におけるハーフプレキャストコンクリート梁を示す縦断面図である。
【図８】第２の実施の形態におけるハーフプレキャストコンクリート梁を示す横断面図である。
【図９】第２の実施の形態におけるプレキャストコンクリートスラブを示す図であり、（ａ）は平面図、（ｂ）は断面図である。
【図１０】第２の実施の形態において、場所打ちコンクリートを打設している段階を示す図であり、（ａ）は平面図、（ｂ）は断面図である。
【符号の説明】
【００５３】
１  ハーフプレキャストコンクリートスラブ
２  杭頭部周りを囲む空所
３  梁材
４  継手部材
５、９、１８、２０  鉄筋
６、１５  基礎杭
７  海上クレーンのワイヤ
８、２１  作業員
１０  底型枠
１１、１４  場所打ちコンクリート
１２  ハーフプレキャストコンクリート梁
１３  プレキャストコンクリートスラブ
１６  プレキャストコンクリート部
１７  鉄骨梁
１９  コンクリートコーベル
【図１】
2005264514.tif 000003
【図２】
2005264514.tif 000004
【図３】
2005264514.tif 000005
【図４】
2005264514.tif 000006
【図５】
2005264514.tif 000007
【図６】
2005264514.tif 000008
【図７】
2005264514.tif 000009
【図８】
2005264514.tif 000010
【図９】
2005264514.tif 000011
【図１０】
2005264514.tif 000012